(57)【要約】【課題】逆止弁を開放する時の流路を広く確保することができる、新規な液体噴出器を提供する。【解決手段】本発明の液体噴出器1は、容器口部31の内側に配置され、容器30に通じる吸入口A1が形成されたシリンダ2と、シリンダ2との間に内容液Cの充填空間Rを形成するピストン3と、ピストン3の押し下げにより内容液Cを外界に噴射させるヘッド9と、ピストン3の復帰により吸入口A1を開放する吸入弁10とを有する。またシリンダ2は、その内側には吸入口A1を取り囲む周壁2cを有し、吸入弁10は、シリンダ2内側面と周壁2外側面との間に配置される座部10aと、座部10aの上面に掛け渡され、吸入口A1の上側に配置された掛け渡し部10bと、掛け渡し部10bから吸入口A1に向かって垂下する基部10cと、基部10cの下端に設けられた可撓性を有する弁体10dとを有する。【選択図】図１
2010167378.tif 000002
【特許請求の範囲】
【請求項１】
容器口部の内側に配置され、その下端に容器に通じる吸入口が形成されたシリンダと、このシリンダの内側に配置され当該シリンダとの間に内容物の充填空間を形成するピストンと、このピストンの押し下げにより充填空間の内容物を外界に噴射させるヘッドと、ピストンの復帰により前記吸入口を開放する逆止弁とを有する液体噴出器であって、
逆止弁は、前記吸入口の上側に配置された掛け渡し部と、この掛け渡し部から垂下する基部と、この基部の下端に設けられた可撓性を有する弁体とを有したものであることを特徴とする液体噴出器。
【請求項２】
請求項１において、シリンダが接触する弁体の部位と、当該弁体が接触するシリンダの部位のうちのいずれか一方を突出させて、当該部位を、吸入口を取り囲む環状の突条として構成したことを特徴とする液体噴出器。
【発明の詳細な説明】
【技術分野】
【０００１】
本発明は、ヘッドの操作により、容器口部の内側に配置したシリンダ内のピストンを押し下げ及び復帰させることで、内容物の噴出を可能とする液体噴出器であって、内容物の効率的な吸入を可能にするための技術に関するものである。
【背景技術】
【０００２】
従来の液体噴出器には、ピストンの動きに応じてシリンダの吸入口を開閉する逆止弁として、吸入口の上側に配置した弁体の外縁を複数の連結片で弾性保持するものがある（例えば、特許文献１参照）。
【先行技術文献】
【特許文献】
【０００３】
【特許文献１】特許第３８２８３３６号明細書
【発明の概要】
【発明が解決しようとする課題】
【０００４】
しかしながら、従来の技術は、充填空間内に負圧が生じると、弁体全体が持ち上がることで、シリンダの吸入口を開放するため、弁体の外縁を連結片で弾性支持していた。このため、従来の技術では、当該弁体の動きがその外縁で規制されることから、弁体の動きがその外縁付近で規制されるため、開放時の流路が狭く、例えば、内溶液の粘度が高いと、所定量を吸引するまでに時間がかかる。
【０００５】
本発明の目的とするところは、開放時における流路面積の拡大を図ることで、シリンダ内への容易な吸入を実現できる、新規な液体噴出器を提供することにある。
【課題を解決するための手段】
【０００６】
本発明は、容器口部の内側に配置され、その下端に容器に通じる吸入口が形成されたシリンダと、このシリンダの内側に配置され当該シリンダとの間に内容物の充填空間を形成するピストンと、このピストンの押し下げにより充填空間の内容物を外界に噴射させるヘッドと、ピストンの押し下げにより前記吸入口を封止する一方、ピストンの復帰により前記吸入口を開放する逆止弁とを有する液体噴出器であって、
逆止弁は、前記吸入口の上側に配置された掛け渡し部と、この掛け渡し部から垂下する基部と、この基部の下端に設けられた可撓性を有する弁体とを有したものであることを特徴とするものである。
【０００７】
更に、詳細には、シリンダは、その内側に前記吸入口を取り囲む周壁を有し、
逆止弁は、シリンダの内側面と周壁外側面との間に形成された環状の凹部に配置される座部と、この座部の上面に掛け渡され、前記吸入口の上側に当該吸入口から間隔を空けて配置された掛け渡し部と、この掛け渡し部から前記吸入口の中心に向かって垂下する基部と、この基部の下端に設けられた可撓性を有する薄板の弁体とを有し、
この弁体を前記周壁の上面と接触した状態で前記基部の下端に固定したものである。
【０００８】
前記弁体には、例えば、薄板の部材（部位）を用いることでき、また、シリンダと接触する部位を突出させることで、当該部位を、吸入口を取り囲む環状の突条として構成することができる。
【発明の効果】
【０００９】
従来の技術は、弁体の外縁を連結片で弾性支持していた。このため、従来の技術では、弁体の外縁に繋がる連結片が障害部となることから、開放時における流路の拡大に改善の余地があった。
【００１０】
これに対し、本発明は、弁体を掛け渡し部から垂下させた基部の下端に設けたことで、当該弁体の外縁には障害物が存在しないから、開放時における流路を大きく確保することができる。
【００１１】
従って、本発明によれば、開放時における流路面積の拡大が図られることで、例えば、粘度の高い内容物であっても、シリンダ内への容易な吸入が可能になる。
【００１２】
また、シリンダが接触する弁体の部位と、当該弁体が接触するシリンダの部位のうちのいずれか一方を突出させることで、当該部位を、吸入口を取り囲む環状の突条として構成すれば、弁体とシリンダとの接触面積が減少することで、弁体がシリンダに固着し難くなることで、開閉機能を改善しつつ開放時における流路面積の拡大を図ることができる。
【図面の簡単な説明】
【００１３】
【図１】本発明の一形態である、液体噴出器を容器に装着した状態で示す要部断面図である。
【図２】同形態に係る吸入弁の閉鎖状態を図１の領域Ｘで示す要部断面図である。
【図３】同形態に係る吸入弁の開放状態を図１の領域Ｘで示す要部断面図である。
【図４】同形態に係る吸入弁を模式的に示す斜視図である。
【発明を実施するための形態】
【００１４】
以下、図面を参照して、本発明の一形態である、液体噴出器１を詳細に説明する。
【００１５】
本発明に従う液体噴出器１は、乳液に代表される粘度の高い内溶液Ｃを充填した液体容器（以下、「容器」）３０に装着され、使用者が後述の開閉式噴出ヘッド（以下、「ヘッド」）９を操作することで、当該ヘッド９を通してその押し下げ及び復帰動作に応じた所定量だけ、容器３０に充填された内溶液Ｃを外界に取り出すことができる。
【００１６】
符号２は、容器３０の口部３１の内側に配置され、その下端部２ａに，容器３０に通じる吸入口Ａ1が形成されたシリンダである。
【００１７】
シリンダ２は、その下端部（以下、「シリンダ下端部」）２ａの外側に、吸入口Ａ1を取り囲む筒状壁２ｂが一体に垂下している。筒状壁２ｂには、容器３０の内溶液Ｃを吸引するためのチューブＴが装着されている。
【００１８】
これに対し、シリンダ下端部２ａの内側には、吸入口Ａ1を取り囲む周壁２ｃが一体に設けられている。これにより、吸入口Ａ1は、シリンダ２内からも直接的に接触できないように構成されている。
【００１９】
符号３は、シリンダ２の内側に配置され当該シリンダ２との間に内容液Ｃの充填空間Ｒを形成するピストンである。符号４は、ピストン３を脱落不能に保持する下端部４ａを有しその内側にピストン３の内側を貫通するシャフト（以下、「ピストンガイドシャフト」）４ｂが形成されたピストンガイドである。
【００２０】
符号５は、その内側にピストンガイドシャフト４ｂを嵌合させることで互いに抜け止め保持される一方、その下方内側でピストン３を摺動可能に保持するステムである。ステム５の下端部５ａは、ピストン３の上昇を規制するストッパとして機能する。
【００２１】
符号６は、ステム５を貫通させる開口を有し、シリンダ２の上方内側で嵌合保持されるリング部材である。リング部材６は、シリンダ２に嵌合保持されることでステム５の抜け止めとして機能する。
【００２２】
符号７は、ステム５の上方外側に固定され、リング部材６と共にリターンスプリング８を保持するフランジ部材である。これにより、ステム５は、フランジ部材７を介してリターンスプリング８から上向きの付勢力（弾性力）を受けることで、リング部材６から常に一定の高さをもって露出させることができる。
【００２３】
符号９は、使用者がリターンスプリング８の付勢力に抗して押し下げることにより、ステム５を介してピストン５の押し下げを行うヘッドである。ヘッド９は、後述のとおり、その押し下げにより、充填空間Ｒの内容液Ｃを圧縮すると同時に外界に噴射させる。
【００２４】
ヘッド９は、ステム５に通じる通路を有し当該ステム５に連結されるジョイント９ａと、このジョイント９ａに通じる通路を有し当該ジョイント９ａに対して上下動可能に連結され、その押し下げ及び復帰によりステム５を通した内容物の給排を生起させるヘッド本体９ｂと、このヘッド本体９ａに通じる通路を有し当該ヘッド本体９ａから横向きに突出するノズル９ｃと、このノズル９ｃの通路内に進退可能に配置され当該ノズル９ｃの注出口Ａ2の開閉を生起させるノズルピン９ｄと、このノズルピン９ｄの進退をヘッド本体９ｂの押し下げ及び復帰に応じて生起させる機構９ｅとを備える。
【００２５】
符号９ｅは、ジョイント９ａとヘッド本体９ｂとの間に配置され、ノズルピン９ｄの進退をヘッド本体９ｂの押し下げ及び復帰に応じて生起させる梃子機構である。梃子機構９ｅは、ヘッド本体９ｂに固定される支持盤９ｅ1と、この支持盤９ｅ1に回転可能に支持されるレバー９ｅ2と、このレバー９ｅ2に付勢力を与えるためのリターンスプリングに代表される弾性部材９ｅ3とを有する。
【００２６】
レバー９ｅ2は、支持盤９ｅ1に回転可能に保持される軸部９ｅ2(s)を基点に延在する一端ｅ9(a)を有し、この一端ｅ9(a)には、ノズルピン９ｄの後端９ｄ1を、自由度をもって嵌合させる切欠が形成されている。これにより、ノズルピン９ｄの後端９ｄ1は、レバー９ｅ2の一端ｅ9(a)に対し、その進退動作が許容されるように連結される。
【００２７】
これに対し、レバー９ｅ2の他端ｅ9(b)は、軸部９ｅ2(s)を基点に左右（図面では紙面表裏側）に二股に分かれ、それぞれがジョイント９ａに接触する。これにより、レバー９ｅ2の他端ｅ9(b)は、ヘッド本体９ｂの押し下げに伴いジョイント９ａを押圧するため、当該ジョイント９ａを押圧するときの反力によりレバー９ｅ2の後傾を生起させる。
【００２８】
弾性部材９ｅ3は、ヘッド本体９ｂとノズルピン９ｄとの間に介在し、図１に示すように、その弾性力（復元力）によってノズルピン９ｄを前方（注出口Ａ2方向）に付勢する。
【００２９】
これにより、レバー９ｅ2は、ヘッド本体９ｂを押し下げないと、ノズルピン９ｄが弾性部材９ｅ3の弾性力により前方に向かって付勢されることで、図１に示すように位置決めされるのに対し、ヘッド本体９ｂを押し下げると、レバー９ｅ2がジョイント９ａを押圧するときの反力により弾性部材９ｅ3の弾性力に抗して、ノズルピン９ｄは図１に示す位置よりも後退する。
【００３０】
即ち、本形態では、ヘッド本体９ｂを押し下げることなく、ノズルピン９ｄに弾性部材９ｅ3の弾性（復元）力が加わるときには、図１に示すように、ノズルピン９ｄが弾性部位９ｅ3の復元力により注出口Ａ2を封止するのに対し、ヘッド本体９ｂの押し下げによってレバー９ｅ2の他端ｅ9(b)に弾性部材９ｅ3の弾性（復元）力に抗した外力が加わるときには、ノズルピン９ｄの後退に伴い注出口Ａ2を開放する。
【００３１】
ここで、符号１０は、シリンダ２の内側に配置され、その吸入口Ａ1の開閉を司る吸入弁（逆止弁）である。吸入弁１０は、合成樹脂等の可撓性を有する材料からなる。
【００３２】
本形態では、図２等に示すように、シリンダ下端部２ａの内側に、吸入口Ａ1を取り囲む周壁２ｃが一体に設けられている。このため、シリンダ２の内側面（以下、「シリンダ内側面」）ｆ1と周壁２ｃの外側面（以下、「周壁外側面」）ｆ2との間には、環状の凹部Ｄが形成されている。
【００３３】
これに対し、吸入弁１０は、図４に示すように、上述の凹部Ｄに配置される環状の座部１０ａを有する。座部１０ａは、図２等に示すように、シリンダ内側面ｆ1の一部を内向きに膨出させた突部ｆpにより、シリンダ２内に抜け止め保持されている。
【００３４】
また、吸入弁１０は、図４に示すように、座部１０ａに、その上面ｆ10に掛け渡され、吸入口Ａ1の上側に当該吸入口Ａ1から間隔を空けて配置された掛け渡し部１０ｂを一体に有する。これにより、座部１０ａの内側に形成された開口Ａ3は、掛け渡し部１０ｂで仕切られた２つの開口Ａ4に通じ、開口Ａ3と２つの開口Ａ4との相互間での内溶液Ｃの流通を可能にする。
【００３５】
吸入弁１０は、図２等に示すように、掛け渡し部１０ｂから吸入口Ａ1の中心（噴出器軸線Ｏ）に向かって垂下する基部１０ｃと、この基部１０ｃの下端に設けられた弁体１０ｄとを一体に有する。
【００３６】
弁体１０ｄは、図４に示すように、その外観形状が、周壁２ｃの上面（以下、「周壁上面」）ｆ3を覆うように形成された薄肉の円形をなし、可撓性を有している。これにより、弁体１０ｄは、図３に示すように、その外縁ｅ10を何ら規制されることなく、基部１０ｃを基点に変形させることができる。
【００３７】
従って、使用者がヘッド９を操作しない定常状態であるとき、又は、使用者がヘッド９を押し込んで噴出動作を生起させるとき、吸入弁１０は、図２に示すように、弁体１０が周壁上面ｆ3に接触した状態であるので、吸入口Ａ1を封止して内溶液Ｃの吸入を阻止する一方、使用者が操作を止めてヘッド９を復帰させるとき、吸入弁１０は、図３に示すように、弁体１０が充填空間Ｒ内に生じた負圧により周壁上面ｆ3から離間するので、吸入口Ａ1を開放して内溶液Ｃの吸入を許容する。
【００３８】
即ち、吸入弁１０は、ピストン３の押し下げにより周壁２ｃを介して吸入口Ａ1を封止する一方、ピストン３の復帰により当該ピストン３との間に生じた負圧で吸入口Ａ1を開放する。なお、本発明に従えば、座部１０ａを環状体とした場合、座部１０ａが弁体１０ｄを取り囲むことになる。この場合、弁体１０ｄが座部１０ａによって保護されることで、弁体１０ｄに対しての外界からの干渉を抑制できる。このため、座部１０を環状体とすれば、吸入弁１０の生産時やその生産後における、弁体１０ｄに対する外界からの干渉に伴う変形を防止することができる。
【００３９】
従来の技術は、弁体１０ｄを基部１０ｃで吊下げ保持するのではなく、弁体１０ｄの外縁ｅ10を連結片で弾性支持していた。このため、従来の技術では、当該弁体１０ｄの外縁ｅ10に繋がる連結片が障害物となることから、開放時における流路の拡大に改善の余地があった。
【００４０】
これに対し、本発明は、弁体１０ｄを掛け渡し部１０ｂから垂下させた基部１０ｃの下端に設けたことで、当該弁体１０ｄの外縁ｅ10には障害物が存在しないから、開放時における流路を大きく確保することができる。
【００４１】
従って、本形態によれば、開放時における流路面積の拡大が図れることで、例えば、粘度の高い内容液Ｃであっても、シリンダ２内への容易な吸入が可能になる。また、本形態に係る、吸入弁１０の構成では、弁体１０ｄを吊下げ保持する掛け渡し部１０ｂを有するため、この掛け渡し部１０ｂの上面からシャフト１０ｅを一体に設けることで、このシャフト１０ｅで図１に示すように、ピストンガイド４の内側を摺動可能に保持することができる。
【００４２】
特に、本形態では、図２等に示すように、弁体１０ｄのうち、周壁上面ｆ3と接触する部位（以下、「接触部位」）１０ｄ1を、当該周壁上面ｆ3に向かって突出させている。即ち、本形態では、弁体１０ｄのうち、接触部位１０ｄ1を、吸入口Ａ1を取り囲む環状の突条として構成している。
【００４３】
本形態の如く、弁体１０ｄに係る、接触部位１０ｄ1を突出させることで、当該部位１０ｄ1を、吸入口Ａ1を取り囲む環状の突条として構成すれば、弁体１０ｄとシリンダ２（周壁上面ｆ3）との接触面積が減少することで、弁体１０ｄがシリンダ２（周壁上面ｆ3）に固着し難くなることで、開閉機能を改善しつつ開放時における流路面積の拡大を図ることができる。なお、本発明に従えば、シリンダ２の部位のうち、弁体１０ｄが接触する周壁ｆ3を、吸入口Ａ1を取り囲む環状の突条として構成することもでき、この場合も、接触部位１０ｄ1を環状の突条としたときと同様の効果を奏する。
【００４４】
なお、本形態の液体噴出器１は、シリンダ２の上端部に形成したフランジ２ｄに、容器口部３１に対して着脱可能に螺合する外装体１１を嵌合させて抜け止め保持すると共に、容器口部３１に装着したとき、当該容器口部３１の上端をシールするシール部材１２を、フランジ２ｄの下方に位置するシリンダ２の外周面に抜け止め保持させている。即ち、本形態の液体噴出器１は、容器３０と別体にユニット化されている。但し、本発明に従えば、液体噴出器１を容器３０に直接組み付ける構成を否定するものではない。また、本形態は、外装体１２に着脱可能に嵌合するオーバーキャップ１３を有するが、当該キャップ１３も必要に応じて設けることができる。
【００４５】
上述したところは、本発明の好適な形態を示したものであるが、用途に応じて様々に設計変更することができる。例えば、本発明は、ヘッドに対する操作に応じてシリンダ内に配置したピストンを動かすと共に、その動きに応じて逆止弁（吸入弁）を開閉する構成であれば、様々な液体噴出器に適用できる。また、本発明に係るヘッドとしても、上記形態の如くの開閉式噴出ヘッドではなく、ピストンの動きを生起させることでステムを通して容器の内溶液を外界に噴出させるに過ぎない単純構造のヘッドを流用できる。
【産業上の利用可能性】
【００４６】
本発明は、シャンプーやリンス、液体石鹸、化粧料等の内容物を入れる容器は勿論のこと、内容液を入れた様々な容器に適用させることができる。
【符号の説明】
【００４７】
１    液体噴出器
２    シリンダ
２ｃ  周壁
３    ピストン
４    ピストンガイド
５    ステム
６    リング部材
７    フランジ部材
８    リターンスプリング
９    開閉式噴出ヘッド
１０  吸入弁（逆止弁）
１０ａ  座部
１０ｂ  掛け渡し部
１０ｃ  基部
１０ｄ  弁体
１０ｄ1  接触部位
１０ｅ  シャフト部
１１    外装体
１２    シール部材
１３    オーバーキャップ
【図１】
2010167378.tif 000003
【図２】
2010167378.tif 000004
【図３】
2010167378.tif 000005
【図４】
2010167378.tif 000006